(57)【要約】【課題】市販されているカメラに使用することができ、使用時に、カメラを遮光フードの内側に収納可能で、非使用時には、カメラをケース本体内に収納できる遮光フード付カメラケースを提供すること。【解決手段】カメラを収納するためのカメラ収納部５を有するケース本体２及びケース本体２の一側に開閉自在に設けられると共にカメラ収納部５を開放又は閉鎖する開閉蓋３からなるカメラケース１と、カメラケース１のケース本体２及び開閉蓋３のうちのいずれか一方に折り畳み位置と遮光位置との間で展開可能に設けられた遮光フード４とから構成される。【選択図】図１
0003145111.tif 000002
【実用新案登録請求の範囲】
【請求項１】
カメラを収納するためのカメラ収納部を有するケース本体及び前記ケース本体の一側に開閉自在に設けられると共に前記カメラ収納部を開放又は閉鎖する開閉蓋からなるカメラケースと、
前記カメラケースの前記ケース本体及び前記開閉蓋のうちのいずれか一方に、折り畳み位置と遮光位置との間で展開可能に設けられた遮光フードと、
から構成された、
ことを特徴とする遮光フード付カメラケース。
【請求項２】
前記ケース本体の上面に、シャッタボタン用の切欠部が設けられている、
ことを特徴とする請求項１に記載の遮光フード付カメラケース。
【請求項３】
前記ケース本体に開閉具を介して前記開閉蓋が開閉自在に取り付けられている、
ことを特徴とする請求項１に記載の遮光フード付カメラケース。
【請求項４】
前記遮光フードは、開口に対して展開可能な上板及び左右の側板よりなり、前記上板の先端に面ファスナの雄雌の一方が取り付けられ、前記開口の縁枠に前記面ファスナの雄雌の他方が取り付けられ、
前記遮光フードの左右の側板が前記開口内に折り畳まれると共に、その上から前記上板が前記開口に向けて折り曲げられ、前記左右の側板の上に重合され、前記上板の先端に設けられた前記面ファスナの雌雄の一方が、これに対応する前記縁枠に設けられた前記面ファスナの雌雄の他方に接着させて固定された、
ことを特徴とする請求項１に記載の遮光フード付カメラケース。
【考案の詳細な説明】
【技術分野】
【０００１】
本考案は、デジタルカメラ等の液晶モニタ用の遮光フード付カメラケースに関する。
【背景技術】
【０００２】
屋外で使用される液晶モニタ付デジタルカメラには、液晶モニタの液晶表示面に太陽光等の外光が照射されて画像が見えにくくなることを防止するために、着脱自在な遮光フードが取り付けられる場合がある。
【０００３】
例えば、液晶モニタが設けられたカメラ本体に取り付けられ、液晶モニタの画像表示面に照射される外光を遮光する遮光位置と、画像表示面を覆う保護位置との間で変位する遮光フードと、遮光フードが遮光位置及び保護位置の一方から他方へ変位したことを検出する検出手段と、検出手段により、遮光フードが遮光位置に変位したことが検出された場合にカメラの電源をオンし、遮光フードが保護位置に変位したことが検出された場合にカメラ本体の電源をオフする電源投入手段とを設けた液晶モニタ付カメラが提案されている（特許文献１）。
【０００４】
特許文献１に開示されている液晶モニタ付カメラは、カメラ本体に着脱可能に取り付けられる遮光フードユニットを備えている。遮光フードユニットは、取付枠、上板、左板、右板から構成されており、それぞれがＡＢＳ樹脂等の比較的耐衝撃性に優れる樹脂部材から形成されている。遮光フードユニットは、取付枠に設けられた係合部をカメラ本体に設けられた係合穴に係合させるとともに、取付枠の左端及び右端でカメラ本体を両側から狭持することにより、カメラ本体の背面に位置決めされて固定される。
【０００５】
遮光フードユニットは、カメラ本体に取り付けられた状態で、液晶モニタの表示面に照射される外光を遮光する遮光位置と、カメラ本体の背面全体を覆う保護位置との間で変位する。上板及び左右の側板は、軸によって取付枠の上部、左部、右部にそれぞれ軸着されている。また、左右の側板は、軸にそれぞれ取り付けられたバネにより、保護位置から遮光位置に向けてバネ付勢されている。遮光フードユニットは、遮光位置に変位されたときに液晶モニタの表示面が上板及び左右の側板によって三方から取り囲まれるようになされ、保護位置に変位されたときに左右の側板が表示面の前面に回動され、上板で左右の側板を挟み込んでカメラ本体の背面全体を覆うようになっている。
【０００６】
また、柔らかくて、薄い紙、布、皮革、ゴムやプラスチックシートを主体に遮光フード本体を構成し、機器本体への装着はマジックテープ（登録商標）や両面テープなどの剥離可能な接着材、粘着材を使用し、着脱、交換、収納を容易ならしめ、遮光フード本体は上面板と両側面板および底面板が使用時には断面コあるいはロ字状になるように形成し、不使用時には三つ折りあるいは四つ折り状に折り畳み可能で薄くすることができるようにした液晶モニタ用遮光フードが提案されている（特許文献２）。
【０００７】
特許文献２に開示されている液晶モニタ遮光フードは、上面板の前縁に設けられた接着部に面ファスナの雌雄の一方を貼付し、カメラ本体の液晶モニタの上辺に面する部分に面ファスナの雌雄の他方を貼付し、これらを合わせてカメラに装着する。遮光フード本体の両側面板を、カメラ本体の液晶モニタの左右の側辺に面する部分にそれぞれ設けられた支持ガイドとの間に沿ってそれぞれを挿入すると，上面板とでコ字状の遮光フードが形成される。
【０００８】
また、上面板の後縁に設けられた接着部に面ファスナの雌雄の一方を貼付し、カメラ本体の液晶モニタの下辺に面する部分に面ファスナの雌雄の他方を貼付し、これらを合わせて、液晶モニタを塞ぐように構成されている。非使用時は両側面板を折り，上面板と三つ折りにし、上面板の後縁に設けられた接着部と液晶モニタの下辺に面する部分の接着材とを合わせる。
【０００９】
【特許文献１】特開２００４−２４５９９８号公報
【特許文献２】特開２００７−１６６５６６号公報
【考案の開示】
【考案が解決しようとする課題】
【００１０】
特許文献１に開示されている遮光フードユニットは、カメラ本体と一組のセットをなす技術思想のもので、カメラ本体に遮光フードユニットを取り付けるための係止穴を設ける一方、遮光フードユニットの取付枠の上辺部の後面中央に後方に向けて突出すると共に、係止孔に係合する係合部を設ける必要がある。特に、カメラ本体に係止穴を設ける必要があり、市販されているカメラに遮光フードユニットを取り付けることができず、汎用性に欠ける。
【００１１】
特許文献２に開示されている液晶モニタ遮光フードは、カメラ本体に取り付けるに当たって、カメラ本体の液晶モニタの上辺に面する部分に面ファスナの雌雄の他方を貼付し、液晶モニタの下辺に面する部分に面ファスナの雌雄の他方を貼付し、液晶モニタの左右の側辺に沿う部分にそれぞれ側面板支持ガイドを両面粘着テープ等により、取り付ける必要がある。このため、カメラ本体に対してこれらの部材を取り付ける作業が面倒である。また、遮光フード本体の上面板の前縁及び後縁にそれぞれ設けられた各接着部に面ファスナの雌雄の一方を貼付する必要がある。このため、使用に当たってこれらカメラ本体及び遮光フード本体に対する各部材の取付作業が面倒である。
【００１２】
また、遮光フード本体はカメラ本体の背面に配置されている液晶モニタの周囲にコ字状に取り付けられるため、カメラを操作するときに、遮光フード本体に強く触れるような場合、遮光フードが脱落する可能性があり、安定度が期待できない。
【００１３】
そこで、本考案は、これに鑑みてなされたもので、その目的は、市販されているカメラに使用することができ、使用時に、カメラを遮光フードの内側に収納可能で、非使用時には、カメラをカメラケース内に収納できる遮光フード付カメラケースを提供するものである。
【課題を解決するための手段】
【００１４】
請求項１に係る遮光フード付カメラケースは、カメラを収納するためのカメラ収納部を有するケース本体及び前記ケース本体の一側に開閉自在に設けられると共に前記カメラ収納部を開放又は閉鎖する開閉蓋からなるカメラケースと、前記カメラケースの前記ケース本体及び前記開閉蓋のうちのいずれか一方に、折り畳み位置と遮光位置との間で展開可能に設けられた遮光フードと、から構成されたことを特徴とする遮光フード付カメラケース。
【００１５】
請求項２に係る遮光フード付カメラケースは、請求項１に係る遮光フード付カメラケースにおいて、前記ケース本体の上面に、シャッタボタン用の切欠部が設けられていることを特徴とするものである。
【００１６】
請求項３に係る遮光フード付カメラケースは、請求項１に係る遮光フード付カメラケースにおいて、前記ケース本体に開閉具を介して前記開閉蓋が開閉自在に取り付けられていることを特徴とするものである。
【００１７】
請求項４に係る遮光フード付カメラケースは、請求項１に係る遮光フード付カメラケースにおいて、前記遮光フードは、開口に対して展開可能な上板及び左右の側板よりなり、前記上板の先端に面ファスナの雄雌の一方が取り付けられ、前記開口の縁枠に前記面ファスナの雄雌の他方が取り付けられ、前記遮光フードの左右の側板が前記開口内に折り畳まれると共に、その上から前記上板が前記開口に向けて折り曲げられ、前記左右の側板の上に重合され、前記上板の先端に設けられた前記面ファスナの雌雄の一方が、これに対応する前記縁枠に設けられた前記面ファスナの雌雄の他方に接着させて固定されたことを特徴とするものである。
【考案の効果】
【００１８】
請求項１に係る遮光フード付カメラケースによれば、市販されているカメラに使用することができ、使用時に、カメラを遮光フードの内側に収納可能で、非使用時には、カメラをカメラケース内のカメラ収納部に収納できる。
【００１９】
請求項２に係る遮光フード付カメラケースによれば、カメラを遮光フードの内側に収納した状態で、ケース本体の上面に設けられたシャツタボタン用の切欠部を通じてカメラの上面のシャッタボタンを操作することができる。
【００２０】
請求項３に係る遮光フード付カメラケースによれば、開閉具を介して簡単に開閉蓋を開け閉めすることができる。
【００２１】
請求項４に係る遮光フード付カメラケースによれば、遮光フードの折り畳み状態を保持することができ、極めて薄型になり、このように、遮光フードを使用しない時には、カメラ収納部にカメラを収納した状態とするカメラケースとして使用でき、携帯するときも嵩張らない。
【考案を実施するための最良の形態】
【００２２】
以下、本考案の実施の形態を図面を参照して説明する。図１は本考案の第１実施形態に係る使用状態時（遮光フードが遮光位置）の遮光フード付カメラケースを正面斜め上方から示すを示す斜視図であり、図２は図１の遮光フード付カメラケースを背面斜め上方から示す斜視図である。また、図３は第１実施形態に係る非使用状態時（遮光フードが折り畳み位置）の遮光フード付カメラケースを正面斜め上方から示す斜視図であり、図４は図３の遮光フード付カメラケースを背面斜め上方から示す斜視図である。
【００２３】
本考案の遮光フード付カメラケースは、カメラを収納するためのカメラ収納部５を有するケース本体２及びケース本体２の一側に開閉自在に設けられると共にカメラ収納部５を開放又は閉鎖する開閉蓋３からなるカメラケース１と、カメラケース１のケース本体２及び開閉蓋３のうちのいずれか一方に、折り畳み位置と遮光位置との間で展開可能に設けられた遮光フード４と、から構成されたものである。
【００２４】
本考案の第１実施形態は、カメラケース１のケース本体２に対して遮光フード４が折り畳み位置と遮光位置との間で展開可能に設けられたものである。第１実施形態のカメラケース１は、比較的耐衝撃性に優れる合成樹脂材から形成されている。
【００２５】
図１乃至図２において、カメラケース１は、使用時にカメラ本体を支持する支持機能、兼非使用時にカメラを収納する収納機能を備えた枠体形状のケース本体２と、ケース本体２の背面の下縁に設けられると共に、カメラ使用時の開放位置とカメラ収納時の閉鎖位置との間で開閉可能な開閉蓋３とにより構成されている。遮光フード４は、ケース本体２の正面に、かつ遮光使用時の遮光位置（展開位置）と非使用時の折り畳み位置（閉鎖位置）との間で変位可能に設けられている。
【００２６】
ケース本体２は、正面視と背面視が共に略矩形状の枠形状をなすと共に、ケース本体２の内側全域が、使用時にカメラを支持する支持機能、兼非使用時にカメラを収納する収納機能を果たすカメラ収納部５に設定されている。ケース本体２の正面には、左右の側縁部分を除いて正面前方に開放された矩形状の開口６が設けられ、ケース本体２の背面には、背面全体が後方に開放された矩形状の開口７が設けられている。
【００２７】
遮光フード４は、上部を形成する上板８と、左右の側部をそれぞれ形成する側板９、１０とにより構成されている。上板８は、ケース本体２の正面上縁に軸１１を介して先端を前方に向けた展開位置と、正面の開口６の全体を閉鎖する閉鎖位置とに開閉自在に取り付けられており、閉鎖時に正面の開口６の全体を閉鎖する形状に形成されている。また、左方の側板９は、ケース本体２の正面左側縁に軸１２を介して先端を前方に向けた展開位置と、開口６に沿って閉鎖する閉鎖位置とに開閉自在に取り付けられ、右方の側板１０は、ケース本体２の正面右側縁に軸１３を介して先端を前方に向けた展開位置と、開口６に沿って閉鎖する開閉自在に取り付けられている。
【００２８】
ケース本体２の底面の略中央には、ケース本体２の左右方向に沿って長孔１４が設けられ、長孔１４には、ケース本体２の底面からカメラ固定用ネジ１５が挿通されると共に、カメラ固定用ネジ１５の先端がカメラ収納部５に突出されている。また、開閉蓋３は、ケース本体２の背面下縁に沿って形成された薄肉部１６に連接され、薄肉部１６を介して開閉自在に取り付けられ、開放時に開口７を後方に開放する一方、閉鎖時に開口７の全体を閉鎖する。
【００２９】
ケース本体２の上面の一側には開口７に連通するシャッタボタン用の切欠部１７が設けられ、開閉蓋３の裏面の上縁には、後方に張り出して形成されると共に、開閉蓋３の閉鎖時に、ケース本体２の上面の切欠部１７に合致して係合する張出係合部１８が設けられている。また、張出係合部１８の前縁には、上方に向けて突出した指掛け用突片１９が形成されている。
【００３０】
以上のように構成された第１実施形態の遮光フード付カメラケースの作用について説明する。図５は、カメラ４０及び第１実施形態に係る使用状態時の遮光フード付カメラケースを正面斜め上方から示す斜視図である。また、図６は、カメラ４０及び第１実施形態に係る使用状態時の遮光フード付カメラケースを背面斜め上方から示す斜視図である。
【００３１】
遮光フード４は、遮光位置に展開されている状態にあっては、左右の側板９、１０の各上端で上板８の下面の左右側縁が支えられ、上板８と、左右の側板９、１０とで囲まれた内部空間が正面前方に開放され、かつカメラ４０をカメラ収納部５へ出し入れ自在に形成されている。カメラ４０の後面に配置された液晶表示面４１を手前に向けた状態で、遮光フード４の開放された正面方向からカメラ４０をカメラ収納部５に装入すると、カメラ４０をカメラ収納部５に収納させることができる（図５及び図６参照）。カメラ４０をカメラ収納部５に収納させた状態で、カメラ固定用ネジ１５をカメラ４０の底部に形成されたネジ孔（図示せず）にねじ込んで、カメラ４０をケース本体２に固定する。
【００３２】
また、開閉蓋３の上部に設けられた指掛け用突片１９を摘んで後方に向けて引くことにより、薄肉部１６を中心に閉鎖状態にある開閉蓋３を下方に回動させ、開閉蓋３を開放した状態とし、開口７よりカメラ４０を露出させることができる（図６参照）。このように、カメラ４０を遮光フード４の内側に簡単に収納することができる。したがって、市販されているカメラ４０に使用することができる。
【００３３】
遮光フード４は、遮光位置に変位されたときにカメラ４０の液晶表示面４１が上板８及び左右の側板９、１０によって三方から取り囲まれるようになされ、折り畳み位置（閉鎖位置）に変位されたときに左右の側板９、１０が液晶表示面４１の前面に回動され、上板８で左右の側板９、１０を挟み込んでカメラ４０の背面全体を覆うようになっている。
【００３４】
カメラ収納部５にカメラ４０が収納されている状態にあっては、上板８と左右の側板９、１０とによって、液晶表示面４１が３方から取り囲まれるように配置され、カメラ４０の背面の液晶表示面４１に入射しようとする外光を遮断する（図５参照）。また、ケース本体２の上面に設けられたシャッタボタン用の切欠部１７を通じてカメラ４０の上面のシャッタボタン４２を操作することができる。使用時には、カメラ４０が遮光フード４の内側に収納されているため、カメラ４０を操作するときでも、遮光フード４の安定度がよい。
【００３５】
使用後の、非使用時には、カメラ収納部５にカメラ４０を収納した状態で、左右の側板９、１０を内方の開口６に向かって回動させて畳み込み、さらにその上から上板８を開口６に向けて回動させて左右の側板９、１０に重合させると共に開口６を塞ぐことができる（図３参照）。また、開閉蓋３の上部に設けられた指掛け用突片１９を摘んでケース本体２に向けて引き上げることにより、薄肉部１６を中心に開放状態にある開閉蓋３を上方に回動させ、開閉蓋３を閉鎖した状態とすると、開閉蓋３の張出係合部１８がケース本体２の切欠部１７に合致して係合され、開閉蓋３でカメラ４０の前面を閉鎖することができる（図４参照）。このように、遮光フード４を使用しない時には、カメラ収納部５にカメラ４０を収納した状態とするカメラケース１として使用できる。
【００３６】
図７は本考案の第２実施形態に係る使用状態時（遮光フードが遮光位置）の遮光フード付カメラケースを正面斜め上方から示す斜視図であり、図８は図７の遮光フード付カメラケースを背面斜め上方から示す斜視図である。また、図９は第２実施形態に係る非使用状態時（遮光フードが折り畳み位置）の遮光フード付カメラケースを正面斜め上方から示すを示す斜視図であり、図１０は図９の遮光フード付カメラケースを背面斜め上方から示す斜視図である。
【００３７】
さらに、図１１は第２実施形態に係る遮光フード付カメラケースの正面図であり、図１２は図１１の遮光フード付カメラケースの平面図であり、図１３は図１１の遮光フード付カメラケースの底面図であり、図１４は図１１の遮光フード付カメラケースの側面図である。また、図１５はカメラ４０及び第２実施形態に係る使用状態時の遮光フード付カメラケースを正面斜め上方から示す斜視図である。図１６はカメラ４０及び第２実施形態に係る使用状態時の遮光フード付カメラケースを背面斜め上方から示す斜視図である。
【００３８】
本考案の第２実施形態は、カメラケース２１の開閉蓋２３に遮光フード２４が折り畳み位置と遮光位置との間で展開可能に設けられたものである。第２実施形態のカメラケース２１は、柔軟で弾力性に優れる布材から形成されている。
【００３９】
図７乃至図８において、カメラケース２１は、非使用時にカメラを収納する収納機能を備えた箱体形状のケース本体２２と、ケース本体２２の上面に設けられると共に、カメラ使用時の開放位置とカメラ収納時の閉鎖位置との間で開閉可能な開閉蓋２３とにより構成されている。遮光フード２４は、開閉蓋２３の正面（上面）に一体に、かつ遮光使用時の遮光位置と非使用時の折り畳み位置との間で変位可能（折り畳み展開可能）に設けられている。
【００４０】
ケース本体２２は、図１１において正面視が略矩形状の箱体形状をなすと共に、ケース本体２２の内側全域が、非使用時にカメラを収納する収納機能を果たすカメラ収納部２５に設定されている。図８に示すようにケース本体２２の上面には、上面全体が前方に開放された矩形状の開口２６が設けられている。
【００４１】
図１２〜図１４に示すように、開閉蓋２３は、ケース本体２２の底部の一側に展開自在に取り付けられると共に、ケース本体２２の開口２６の下部の両側縁から開口２６の左右側縁部及び開口２６の上縁に亘って開閉具（ファスナ）２７により開口２６の上面を覆うように開閉可能に取り付けられている。
【００４２】
開閉蓋２３の上面には、カメラ４０の前面（撮像用のレンズ等が配置されている）を開放させるための矩形状の開口３１が設けられると共に、開口３１の周囲全周に亘って額縁状の縁枠３２が形成されている。遮光フード２４は、正面前方が開放されると共に開口３１の上縁と左右の側縁に対して設けられ、上部を形成する上板２８が開口３１の上縁に展開可能に取り付けられ、左右の側部をそれぞれ形成する側板２９、３０が開口３１の左右の側縁にそれぞれ展開可能に取り付けられている。
【００４３】
また、上板２の先端には、面ファスナ３３の雌雄の一方が貼付され、これに対応する縁枠３２の一側には、面ファスナ３３の雌雄の他方が貼付されている。また、図８に示すように、開口３１の下縁に臨む縁枠３２の下縁には、背面方向に所定幅だけ張り出すカメラ支持板３４が開閉蓋２３の左右方向に沿って設けられている。カメラ支持板３４の略中央には、開閉蓋２３の左右方向に沿って長孔３５が設けられ、長孔３５には、カメラ支持板３４の底面からカメラ固定用ネジ３６が挿通されると共に、カメラ固定用ネジ３６の先端がカメラ支持板３４の上面に突出されている。
【００４４】
以上のように構成された遮光フード２４の作用について説明する。遮光フード２４は、遮光位置に展開されている状態にあっては、上板２８と、左右の側板２９、３０とで囲まれた内部空間により正面前方に開放され、かつカメラ４０が出し入れ自在に収納される（図１５、図１６参照）。
【００４５】
カメラ４０の後面に配置された液晶表示面４１を手前に向けた状態で、遮光フード２４の開放された正面方向からカメラ４０を開口３１に装入し、カメラ４０をカメラ支持板３４の上面に載せた状態で、カメラ固定用ネジ３６をカメラ４０の底部に形成されたネジ孔（図示せず）にねじ込んで、カメラ４０をカメラ支持板３４上に固定する。すると、カメラ４０を遮光フード２４の内側に収納させることができる。このように、カメラ４０を遮光フード２４の内側に簡単に収納することができる。したがって、市販されているカメラに使用することができる。
【００４６】
遮光フード２４の内側にカメラ４０が収納されている状態にあっては、上板２８と左右の側板２９、３０とによって、液晶表示面４１が３方から取り囲まれるように配置され、カメラ４０の背面の液晶表示面４１に入射しようとする外光を遮断する（図１５参照）。使用時には、カメラ４０が遮光フード２４の内側に収納されているため、カメラを操作するときでも、遮光フード２４の安定度がよい。
【００４７】
非使用時には、カメラ４０をカメラ支持板３４上に固定した状態のまま、開閉蓋２３をケース本体２２に向けて回動して重ね、ケース本体２２の内側のカメラ収納部２５にカメラ４０を収納し、開閉具（ファスナ）２７により、開口２６を開閉蓋２３で閉鎖する。遮光フード２４の左右の側板２９、３０を内方に向かって折り込むと、左右の側板２９、３０が開口３１内に折り畳まれる。その上から上板２８を開口３１に向けて折り曲げて、左右の側板２９、３０の上に重合することができる。そして、上板２の先端に設けられた面ファスナ３３の雌雄の一方を、これに対応する縁枠３２の一側に設けられた面ファスナ３３の雌雄の他方に接着させて固定すると、遮光フード２４の折り畳み状態を保持することができ、極めて薄型になり、このように、遮光フード２４を使用しない時には、カメラ収納部２５にカメラ４０を収納した状態とするカメラケース２１として使用でき、携帯するときも嵩張らない。
【図面の簡単な説明】
【００４８】
【図１】本考案の第１実施形態に係る使用状態時の遮光フード付カメラケースを正面斜め上方から示す斜視図である。
【図２】図１の遮光フード付カメラケースを背面斜め上方から示す斜視図である。
【図３】第１実施形態に係る非使用状態時の遮光フード付カメラケースを正面斜め上方から示す斜視図である。
【図４】図３の遮光フード付カメラケースを背面斜め上方から示す斜視図である。
【図５】カメラ及び第１実施形態に係る使用状態時の遮光フード付カメラケースを正面斜め上方から示す斜視図である。
【図６】カメラ及び第１実施形態に係る使用状態時の遮光フード付カメラケースを背面斜め上方から示す斜視図である。
【図７】本考案の第２実施形態に係る使用状態時の遮光フード付カメラケースを正面斜め上方から示す斜視図である。
【図８】図７の遮光フード付カメラケースを背面斜め上方から示す斜視図である。
【図９】第２実施形態に係る非使用状態時の遮光フード付カメラケースを正面斜め上方から示す斜視図である。
【図１０】図９の遮光フード付カメラケースを背面斜め上方から示す斜視図である。
【図１１】第２実施形態に係る遮光フード付カメラケースの正面図である。
【図１２】図１１の遮光フード付カメラケースの平面図である。
【図１３】図１１の遮光フード付カメラケースの底面図である。
【図１４】図１１の遮光フード付カメラケースの側面図である。
【図１５】カメラ及び第２実施形態に係る使用状態時の遮光フード付カメラケースを正面斜め上方から示す斜視図である。
【図１６】カメラ及び第２実施形態に係る使用状態時の遮光フード付カメラケースを背面斜め上方から示す斜視図である。
【符号の説明】
【００４９】
１  カメラケース（第１実施形態）
２  ケース本体
３  開閉蓋
４  遮光フード
５  カメラ収納部
６  開口
７  開口
８  上板
９  側板
１０  側板
１１  軸
１２  軸
１３  軸
１４  長孔
１５  カメラ固定用ネジ
１６  薄肉部
１７  切欠部
１８  張出係合部
１９  指掛け用突片
２１  カメラケース（第２実施形態）
２２  ケース本体
２３  開閉蓋
２４  遮光フード
２５  カメラ収納部
２６  開口
２７  開閉具（ファスナ）
２８  上板
２９  側板
３０  側板
３１  開口
３２  縁枠
３３  面ファスナ
３４  カメラ支持板
３５  長孔
３６  カメラ固定用ネジ
４０  カメラ
４１  液晶表示面
４２  シャッタボタン
【図１】
0003145111.tif 000003
【図２】
0003145111.tif 000004
【図３】
0003145111.tif 000005
【図４】
0003145111.tif 000006
【図５】
0003145111.tif 000007
【図６】
0003145111.tif 000008
【図７】
0003145111.tif 000009
【図８】
0003145111.tif 000010
【図９】
0003145111.tif 000011
【図１０】
0003145111.tif 000012
【図１１】
0003145111.tif 000013
【図１２】
0003145111.tif 000014
【図１３】
0003145111.tif 000015
【図１４】
0003145111.tif 000016
【図１５】
0003145111.tif 000017
【図１６】
0003145111.tif 000018